(57)【要約】  追記型ディスクの使用方法、そのデータ記録及び／または再生装置、並びにその追記型ディスクが開示される。本発明の一側面による少なくとも１つの記録層を備えた追記型ディスクの使用方法は、前記少なくとも１つの記録層に含まれたデータ領域に少なくとも１つのスペア領域を割り当てるステップと、ユーザデータ記録方向と同じ方向に前記スペア領域をサブスペア領域及び臨時ディスク管理領域に分割するステップを含み、前記臨時ディスク管理領域の大きさは、前記スペア領域の大きさの１／Ｎ（Ｎは実数）以上であることを特徴とする。本発明によれば、スペア領域及び臨時ディスク管理領域（ＴＤＭＡ）が割当てられた追記型ディスクにおいて、臨時ディスク管理領域の大きさと関連してスペア領域を所定範囲で拡張または減少させることによって、さらに効率的に追記型ディスクのデータ領域を使用しうる。
2007507827.tif 000002
【特許請求の範囲】
【請求項１】
少なくとも１つの記録層を備えた追記型ディスクの使用方法において、
前記少なくとも１つの記録層に含まれたデータ領域に少なくとも１つのスペア領域を割り当てるステップと、
ユーザデータ記録方向と同じ方向に前記スペア領域をサブスペア領域及び臨時ディスク管理領域に分割するステップを含み、
前記臨時ディスク管理領域の大きさは、前記スペア領域の大きさの１／Ｎ（Ｎは実数）以上であることを特徴とする方法。
【請求項２】
前記臨時ディスク管理領域の大きさは、前記スペア領域のために割当て可能な最大サイズの１／Ｎ以下であることを特徴とする請求項１に記載の方法。
【請求項３】
前記サブスペア領域を前記臨時ディスク管理領域の大きさのＮ倍以下の大きさまで前記ユーザデータ記録方向と反対方向に拡張するステップをさらに含むことを特徴とする請求項１に記載の方法。
【請求項４】
前記サブスペア領域をユーザデータ記録方向に縮少するステップをさらに含むことを特徴とする請求項１に記載の方法。
【請求項５】
前記スペア領域は、前記ユーザデータ領域に記録されたユーザデータに欠陥が発生した時、前記ユーザデータを再び記録するか、アップデートされたファイルシステム情報を記録するための領域であることを特徴とする請求項１に記載の方法。
【請求項６】
前記臨時ディスク管理領域は、少なくとも臨時欠陥管理に関する情報を記録するための領域であることを特徴とする請求項１に記載の方法。
【請求項７】
前記Ｎは、４であることを特徴とする請求項１に記載の方法。
【請求項８】
データ記録及び／または再生装置において、
少なくとも１つの記録層を備えた追記型ディスクにデータを記録するか、記録されたデータを読出す記録／読出部と、
前記少なくとも１つの記録層に含まれたデータ領域に少なくとも１つのスペア領域を割り当て、ユーザデータ記録方向と同じ方向に前記スペア領域をサブスペア領域及び臨時ディスク管理領域に分割した後、前記スペア領域の位置及び／またはサイズ情報、前記サブスペア領域及び前記臨時ディスク管理領域の位置及び／またはサイズ情報を前記追記型ディスクに記録するように前記記録／読出部を制御する制御部と、を備え、
前記制御部は、前記臨時ディスク管理領域の大きさが前記スペア領域の大きさの１／Ｎ（Ｎは実数）以上になるように決定することを特徴とする装置。
【請求項９】
前記制御部は、前記臨時ディスク管理領域の大きさが前記スペア領域のために割当て可能な最大サイズの１／Ｎ以下になるように決定することを特徴とする請求項８に記載の装置。
【請求項１０】
前記制御部は、前記ユーザデータ記録方向と反対方向に前記サブスペア領域を、前記臨時ディスク管理領域のＮ倍以下の大きさまで拡張し、前記拡張されたサブスペア領域のサイズ情報を前記追記型ディスクに記録するように前記記録／読出部を制御することを特徴とする請求項８に記載の装置。
【請求項１１】
前記制御部は、前記サブスペア領域をユーザデータ記録方向に縮少し、前記縮少されたサブスペア領域のサイズ情報を前記追記型ディスクに記録するように前記記録／読出部を制御することを特徴とする請求項８に記載の装置。
【請求項１２】
前記スペア領域は、前記ユーザデータ領域に記録されたユーザデータに欠陥が発生した時、前記ユーザデータを再び記録するか、アップデートされたファイルシステム情報を記録するための領域であることを特徴とする請求項８に記載の装置。
【請求項１３】
前記臨時ディスク管理領域は、少なくとも臨時欠陥管理に関する情報を記録するための領域であることを特徴とする請求項８に記載の装置。
【請求項１４】
前記Ｎは、４であることを特徴とする請求項８に記載の装置。
【請求項１５】
内周から外周側にユーザデータが記録される単一記録層の追記型ディスクにおいて、
前記記録層にはデータ領域が備えられ、前記データ領域の所定位置から最後の位置まではスペア領域に割当てられ、前記スペア領域は内周から外周側にサブスペア領域及び臨時ディスク管理領域を含み、
前記臨時ディスク管理領域の大きさは、前記スペア領域の大きさの１／Ｎ（Ｎは実数）以上であることを特徴とするディスク。
【請求項１６】
前記臨時ディスク管理領域の大きさは、前記スペア領域のために割当て可能な最大サイズの１／Ｎ以下であることを特徴とする請求項１５に記載のディスク。
【請求項１７】
前記サブスペア領域は、前記臨時ディスク管理領域の大きさのＮ倍以下の大きさまで内周側に拡張可能な領域であることを特徴とする請求項１５に記載のディスク。
【請求項１８】
前記サブスペア領域は、外周側に縮少可能な領域であることを特徴とする請求項１５に記載のディスク。
【請求項１９】
前記スペア領域は、前記ユーザデータ領域に記録されたユーザデータに欠陥が発生した時、前記ユーザデータを再び記録するか、アップデートされたファイルシステム情報を記録するための領域であることを特徴とする請求項１５に記載のディスク。
【請求項２０】
前記臨時ディスク管理領域は、少なくとも臨時欠陥管理に関する情報を記録するための領域であることを特徴とする請求項１５に記載のディスク。
【請求項２１】
前記Ｎは、４であることを特徴とする請求項１５に記載のディスク。
【請求項２２】
第１記録層及び第２記録層を含み、第１記録層からユーザデータがオポジットトラックパス方式によって記録される二重記録層の追記型ディスクにおいて、
前記第２記録層にはデータ領域が備えられ、前記データ領域の所定位置から最後の位置まではスペア領域に割当てられ、前記スペア領域は外周から内周側にサブスペア領域及び臨時ディスク管理領域を含み、
前記臨時ディスク管理領域の大きさは、前記スペア領域の大きさの１／Ｎ（Ｎは実数）以上であることを特徴とするディスク。
【請求項２３】
前記臨時ディスク管理領域の大きさは、前記スペア領域のために割当て可能な最大サイズの１／Ｎ以下であることを特徴とする請求項２２に記載のディスク。
【請求項２４】
前記サブスペア領域は、前記臨時ディスク管理領域の大きさのＮ倍以下の大きさまで外周側に拡張可能な領域であることを特徴とする請求項２２に記載のディスク。
【請求項２５】
前記サブスペア領域は、内周側に縮少可能な領域であることを特徴とする請求項２２に記載のディスク。
【請求項２６】
前記スペア領域は、前記ユーザデータ領域に記録されたユーザデータに欠陥が発生した時、前記ユーザデータを再び記録するか、アップデートされたファイルシステム情報を記録するための領域であることを特徴とする請求項２２に記載のディスク。
【請求項２７】
前記臨時ディスク管理領域は、少なくとも臨時欠陥管理に関する情報を記録するための領域であることを特徴とする請求項２２に記載のディスク。
【請求項２８】
前記Ｎは、４であることを特徴とする請求項２２に記載のディスク。
【発明の詳細な説明】
【技術分野】
【０００１】
本発明は、追記型ディスクに係り、より詳細には、追記型ディスクの使用方法、そのデータ記録及び／または再生装置、並びにその追記型ディスクに関する。
【背景技術】
【０００２】
追記型ディスク（Ｗｒｉｔｅ−Ｏｎｃｅ  Ｄｉｓｃ）は、データ記録領域に１回のみ記録可能な特性を有する情報記録媒体であるために、ユーザは追記型ディスクに情報を一度記録した後には、その記録された情報を削除または変更できない。
【０００３】
１回のみ記録可能な追記型ディスクの特性を考慮して欠陥管理に関連した情報またはディスク上に記録されたデータについての多様な情報を含むファイルシステム情報を記録するために追記型ディスクには、スペア領域及び臨時ディスク管理領域（ＴＤＭＡ：Ｔｅｍｐｏｒａｒｙ  Ｄｉｓｃ  Ｍａｎａｇｅｍｅｎｔ  Ａｒｅａ）が別途に設けられる。
【０００４】
欠陥管理とは、情報記録媒体のユーザデータ領域に記録したユーザデータに欠陥が発生した時、欠陥が発生した部分に記録されたユーザデータを再びスペア領域に記録して欠陥発生によるデータ損失を防止することを意味する。
【０００５】
追記型ディスクにおいて欠陥管理方法をさらに詳細に説明すれば、ドライブは記録後検証（ｖｅｒｉｆｙ  ａｆｔｅｒ  ｗｒｉｔｅ）方式によって所定単位でデータを追記型ディスクに記録した後、記録されたデータを検証することによって欠陥が発生した追記型ディスク上の位置を捜し出す。ドライブは、欠陥が発生した位置に記録されたデータを再びスペア領域に記録し、欠陥が発生した位置と新たに代替されたスペア領域の位置を知らせる臨時欠陥情報（ＴＤＦＬ：Ｔｅｍｐｏｒａｒｙ  ＤｅＦｅｃｔ  Ｌｉｓｔ）及びその臨時欠陥情報が記録された位置を知らせる臨時欠陥管理情報（ＴＤＤＳ：Ｔｅｍｐｏｒａｒｙ  Ｄｉｓｃ  Ｄｅｆｉｎｉｔｉｏｎ  Ｓｔｒｕｃｔｕｒｅ）を生成する。
【０００６】
ドライブは、生成された臨時欠陥情報または臨時欠陥管理情報をメモリに保存していて所定量を集めて、追記型ディスクに設けられた臨時ディスク管理領域（以下、ＴＤＭＡ領域と称する）に記録する。追記型ディスクにデータを記録し続けることによって、ＴＤＭＡに記録された臨時欠陥情報または臨時欠陥管理情報はアップデートされる。
【０００７】
また、スペア領域には、データが記録されることによってこれを反映した更新されたファイルシステム情報が前述した欠陥管理及び論理記録更新（Ｌｏｇｉｃａｌ  Ｏｖｅｒ  Ｗｒｉｔｅ）機能を利用して記録されることもある。論理記録更新機能とは、ディスクの論理的な記録位置、すなわち、論理アドレス（Ｌｏｇｉｃａｌ  ａｄｄｒｅｓｓ）を変更せず、その論理アドレスに対応するディスク上の物理的アドレスを変更する方法で同じ論理アドレスに記録された情報を更新する機能をいう。
【０００８】
具体的に、追記型ディスクにおいてファイルシステム情報の更新過程を説明すれば、ホストのファイルシステム更新命令によりドライブはファイルシステム情報の論理アドレスに対応する追記型ディスクの物理アドレスにデータが記録されているか否かを確認する。既にデータが記録されている領域と確認されれば、その物理アドレス領域を欠陥と見なして、スペア領域に更新されたファイルシステム情報を代替して記録する。
【０００９】
前述したスペア領域は、追記型ディスクの初期化時に、データ領域内に割当てられる。ＴＤＭＡ領域は、データ領域外の領域、すなわち、リードイン領域またはリードアウト領域に少なくとも１つ設けられ、追記型ディスクの初期化時に、スペア領域の一部を再びＴＤＭＡ領域に割当てうる。
【００１０】
また、スペア領域は、スペア領域に記録するデータが予想より多い場合、拡張されうる。しかし、スペア領域に記録される情報の量とＴＤＭＡ領域に記録される情報の量は、互いに比例関係である。すなわち、スペア領域に記録するデータが多ければ、ＴＤＭＡ領域に記録するデータも多くなるので、ＴＤＭＡ領域の大きさを考慮してスペア領域を拡張するか、縮少しなければならない。
【発明の開示】
【発明が解決しようとする課題】
【００１１】
本発明が解決しようとする技術的課題は、さらに効率的にディスクのデータ領域を使用しうる追記型ディスクの使用方法、そのデータ記録及び／または再生装置及びその追記型ディスクを提供するところにある。
【課題を解決するための手段】
【００１２】
前記課題を達成するための本発明の一側面による少なくとも１つの記録層を備えた追記型ディスクの使用方法は、前記少なくとも１つの記録層に含まれたデータ領域に少なくとも１つのスペア領域を割り当てるステップと、ユーザデータ記録方向と同じ方向に前記スペア領域をサブスペア領域及び臨時ディスク管理領域に分割するステップとを含み、前記臨時ディスク管理領域の大きさは、前記スペア領域の大きさの１／Ｎ（Ｎは実数）以上であることを特徴とする。
【００１３】
前記課題を達成するための本発明の一側面によるデータ記録及び／または再生装置は、少なくとも１つの記録層を備えた追記型ディスクにデータを記録するか、記録されたデータを読出す記録／読出部と、前記少なくとも１つの記録層に含まれたデータ領域に少なくとも１つのスペア領域を割り当て、ユーザデータ記録方向と同じ方向に前記スペア領域をサブスペア領域及び臨時ディスク管理領域に分割した後、前記スペア領域の位置及び／またはサイズ情報、前記サブスペア領域及び前記臨時ディスク管理領域の位置及び／またはサイズ情報を前記追記型ディスクに記録するように前記記録／読出部を制御する制御部とを含み、前記制御部は、前記臨時ディスク管理領域の大きさが前記スペア領域の大きさの１／Ｎ（Ｎは実数）以上になるように決定することを特徴とする。
【００１４】
前記課題を達成するための本発明の一側面による追記型ディスクは、内周から外周側にユーザデータが記録される単一記録層の追記型ディスクにおいて、前記記録層にはデータ領域が備えられ、前記データ領域の所定位置から最後の位置まではスペア領域に割当てられ、前記スペア領域は、内周から外周側にサブスペア領域及び臨時ディスク管理領域を含み、前記臨時ディスク管理領域の大きさは、前記スペア領域の大きさの１／Ｎ（Ｎは実数）以上であることを特徴とする。
【００１５】
前記課題を達成するための本発明の他の側面による追記型ディスクは、第１記録層及び第２記録層を含み、第１記録層からユーザデータがオポジットトラックパス（Ｏｐｐｏｓｉｔｅ  Ｔｒａｃｋ  Ｐａｔｈ：ＯＴＰ）方式によって記録される二重記録層の追記型ディスクにおいて、前記第２記録層には、データ領域が備えられ、前記データ領域の所定位置から最後の位置まではスペア領域に割当てられ、前記スペア領域は、外周から内周側にサブスペア領域及び臨時ディスク管理領域を含み、前記臨時ディスク管理領域の大きさは、前記スペア領域の大きさの１／Ｎ（Ｎは実数）以上であることを特徴とする。
【発明の効果】
【００１６】
本発明によれば、スペア領域及び臨時ディスク管理領域（ＴＤＭＡ）が割当てられた追記型ディスクにおいて臨時ディスク管理領域の大きさと関連してスペア領域を所定範囲に拡張または減少させることによって、さらに効率的に追記型ディスクのデータ領域を使用しうる。
【発明を実施するための最良の形態】
【００１７】
以下、添付された図面を参照して本発明の一実施例を詳細に説明する。
【００１８】
本発明では、追記型ディスクの初期化時にデータ領域にスペア領域を割り当て、再びそのスペア領域をサブスペア領域及びＴＤＭＡ領域に分割した場合、前記ＴＤＭＡ領域の大きさに関連して前記サブスペア領域を所定範囲内で拡張または縮少することによって、追記型ディスクのデータ領域またはスペア領域をさらに効率的に使用可能にする。
【００１９】
図１Ａ及び図１Ｂは、本発明の一実施例による追記型ディスクの構造を示す図であって、図１Ａは単一記録層の追記型ディスクであり、図１Ｂは二重記録層の追記型ディスクである。
【００２０】
図１Ａを参照するに、内周から外周側にＩｎｎｅｒ  ａｒｅａ０、Ｄａｔａ  ａｒｅａ０及びＯｕｔｅｒ  ａｒｅａ０が配置されている。Ｄａｔａ  ａｒｅａ０は、Ｓｐａｒｅ  ａｒｅａ１、Ｕｓｅｒ  Ｄａｔａ  ａｒｅａ１及びＳｐａｒｅ  ａｒｅａ２を含む。図１Ｂを参考にするに、二重記録層の追記型ディスクは、記録層Ｌ０及びＬ１を含み、記録層Ｌ０の構造は、図１Ａに示された構造と同一である。記録層Ｌ１の構造また記録層Ｌ０の構造と同一である。
【００２１】
図２は、単一記録層の追記型ディスクの記録層Ｌ０または二重記録層の追記型ディスクの最初の記録層Ｌ０の構造を示す図である。図２を参照するに、Ｉｎｎｅｒ  ａｒｅａ０は、ＤＭＡ１、記録条件テスト領域（Ｒｅｃｏｒｄｉｎｇ  Ｃｏｎｄｉｔｉｏｎ  Ｔｅｓｔ  Ａｒｅａ）、ＴＤＭＡ１及びＤＭＡ１を含む。Ｄａｔａ  ａｒｅａ０は、Ｓｐａｒｅ  ａｒｅａ１、Ｕｓｅｒ  Ｄａｔａ  ａｒｅａ１及びＳｐａｒｅ  ａｒｅａ２を含む。Ｓｐａｒｅ  ａｒｅａ２は、再びＳｕｂｓｐａｒｅａｒｅａ２及びＴＤＭＡ２に分割される。Ｓｐａｒｅ  ａｒｅａ１及び２は、追記型ディスクの初期化時にユーザの選択またはドライブの命令によってデータ領域の所定位置に割当てられる。Ｓｐａｒｅ  ａｒｅａ２は、再びユーザの選択またはドライブの命令によってＳｕｂｓｐａｒｅ  ａｒｅａ２及びＴＤＭＡ２に分割される。
【００２２】
ＴＤＭＡ領域は、欠陥管理に関する情報及び臨時ディスク管理のための情報などを記録するための領域である。欠陥管理に関する情報とは、前述した臨時欠陥情報（ＴＤＦＬ）及び臨時欠陥管理情報（ＴＤＤＳ）を含み、臨時ディスク管理のための情報は、追記型ディスクのデータ記録状態を相異なるビット値を用いて示したスペースビットマップ（ＳＢＭ：Ｓｐａｃｅ  Ｂｉｔ  Ｍａｐ）またはユーザデータ領域の最後の記録アドレス（ＬＲＡ：Ｌａｓｔ  Ｒｅｃｏｒｄｅｄ  Ａｄｄｒｅｓｓ）などを含む。
【００２３】
また、後述される本発明による実施例では、データ領域にスペア領域を割り当て、またそのスペア領域をサブスペア領域及びＴＤＭＡ領域に分ける。この際、データ領域にスペア領域の割当て如何を示す情報、データ領域に割当てられたスペア領域の位置及び大きさに関する情報、データ領域に割当てられたスペア領域がサブスペア領域及びＴＤＭＡ領域に分割された場合には、そのサブスペア領域及びそのＴＤＭＡ領域の位置及び大きさに関する情報が臨時ディスク管理のための情報に含まれる。
【００２４】
ＤＭＡ（Ｄｉｓｃ  Ｍａｎａｇｅｍｅｎｔ  Ａｒｅａ）領域は、追記型ディスクの最終化時に、ＴＤＭＡ領域に記録された最終的なディスクの欠陥情報及び臨時ディスク管理情報を記録するための領域である。
【００２５】
図３Ａ及び図３Ｂは、本発明の一実施例によってデータ領域にスペア領域及びＴＤＭＡ領域が割当てられた単一記録層の追記型ディスクまたは二重記録層の追記型ディスクの最初の記録層Ｌ０を示す図である。図３Ａは、追記型ディスクの初期化時、データ領域にスペア領域１及び２が割当てられた場合を示す。データ領域のうち、スペア領域を除いた残りの領域、すなわち、ユーザデータ領域の使用方向は、図示されたように内周から外周方向である。スペア領域１の使用方向も同様なので、内周から外周方向であるが、スペア領域２の使用方向は、逆に外周から内周方向である。スペア領域の拡張が必要な場合、拡張を容易にするために外周から内周側にスペア領域２を使用する。
【００２６】
一般的に欠陥発生時の代替のためのスペア領域は、追記型ディスクの全体容量の約５％を割り当てる。しかし、Ｌｏｇｉｃａｌ  Ｏｖｅｒ−Ｗｒｉｔｅ（以下、ＬＯＷと称する）及び欠陥管理を用いてスペア領域にアップデートされたファイルシステム情報を記録する場合、スペア領域のサイズは、さらに大きくなければならない。本発明では、初期化時点にあらかじめスペア領域を割当てた後、使用中に必要によって所定範囲内でスペア領域を拡張する。
【００２７】
図３Ｂは、図３Ａに示したようにデータ領域にスペア領域１及び２が割当てられた後、再びスペア領域２がサブスペア領域２及びＴＤＭＡ２に分割された場合を示す。
【００２８】
図４Ａ及び４Ｂは、図３Ａ及び図３Ｂに示されたスペア領域２及びＴＤＭＡ領域２の大きさの一例を示す図である。本実施例は、スペア領域２の内部に割当てられたＴＤＭＡ２の大きさがスペア領域２の大きさの１／４以上である場合である。もちろん、これに限定されず、スペア領域２の大きさ及びＴＤＭＡ２の大きさの比率は多様に変更可能である。
【００２９】
図４Ａを参照するに、追記型ディスクの初期化時に大きさが４Ｎであるスペア領域２がデータ領域の後尾に割当てられる。領域の大きさとは、その領域に記録されるＥＣＣ（Ｅｒｒｏｒ  Ｃｏｒｒｅｃｔｉｏｎ  Ｃｏｄｅ）ブロックの数またはその領域に記録可能なデータの容量を示す。本実施例で特定領域の大きさとは、その領域に記録されるＥＣＣブロックの数を示すものと仮定する。４Ｌは、スペア領域２のために割当て可能な最大サイズを示す。
【００３０】
図４Ｂは、スペア領域２が再びサブスペア領域２及びＴＤＭＡ２に分割された場合を示す。ユーザデータ領域０の使用方向は、図示されたように内周から外周方向であり、サブスペア領域２の拡張を容易にするためにサブスペア領域２の使用方向は外周から内周方向である。
【００３１】
前述したようにスペア領域に記録されるデータの量とＴＤＭＡ領域に記録するデータの量との間には比例関係があるので、スペア領域の大きさとＴＤＭＡ領域の大きさは、互いに関連させて決定することが望ましい。図４Ｂに示した実施例では、ＴＤＭＡ２の大きさはＫであって、Ｎ以上Ｌ以下の大きさを有する。すなわち、スペア領域２の大きさの１／４以上であり、スペア領域２のために割当て可能な最大サイズの１／４以下の大きさである。ＴＤＭＡ２の大きさがＫであるために、サブスペア領域２の大きさは当然４Ｎ−Ｋとなる。
【００３２】
スペア領域２がサブスペア領域２及びＴＤＭＡ２に分割された後、ＴＤＭＡ２の大きさは変更できない。しかし、サブスペア領域２は、必要時に内周側に拡張または外周側に縮少が可能である。サブスペア領域２の拡張は、サブスペア領域２と接したユーザデータ領域０の領域にデータが記録されていない場合に可能であるということは言うまでもない。
【００３３】
本実施例によれば、ＴＤＭＡ２の大きさを考慮してサブスペア領域２を拡張する。すなわち、サブスペア領域２は、拡張されたサブスペア領域２の大きさとＴＤＭＡ２の大きさとを加算した大きさがＴＤＭＡ２の大きさの４倍以下の範囲内で拡張される。もし、ＴＤＭＡ２の大きさがスペア領域２の大きさの１／４であるＮであれば、サブスペア領域２は拡張され得ない。
【００３４】
スペア領域に記録するデータ量は少ないが、ユーザデータ領域の拡張が必要な場合、サブスペア領域２の縮少はもちろん可能である。サブスペア領域２の大きさは“０”まで縮少可能である。
【００３５】
図５Ａ及び５Ｂは、本発明の一実施例によって二重記録層の追記型ディスクの二番目記録層Ｌ１のデータ領域にスペア領域及びＴＤＭＡ領域を割当てた例を示す図である。本実施例による二重記録層の追記型ディスクの場合、図１Ｂに示したように最初の記録層Ｌ０にスペア領域１及び２を割り当て、二番目の記録層Ｌ１にスペア領域３及び４を割り当てうる。この中、スペア領域４をサブスペア領域とＴＤＭＡ領域とに分割することが望ましい。追記型ディスクの使用中にあらゆるスペア領域の拡張または減少は可能である。しかし、スペア領域４が、領域の拡張に最も容易なために本実施例ではスペア領域４をサブスペア領域４及びＴＤＭＡ２に分割する。本実施例も図４Ａ及び図４Ｂに示した記録層Ｌ０の場合と同様に最初に割当てられたスペア領域４の大きさ及びスペア領域４の内部に再び割当てられたＴＤＭＡ２の大きさの比率が４：１である場合を例として説明する。
【００３６】
スペア領域内に割当てられたＴＤＭＡ領域の大きさの範囲、サブスペア領域の拡張または減少の範囲は、図４Ａ及び４Ｂに示した実施例と同一である。但し、図５Ｂに示したように、スペア領域４をサブスペア領域４及びＴＤＭＡ２に分割し、ユーザデータ領域１の使用方向は外周から内周方向であり、サブスペア領域４の使用方向はその反対である内周から外周方向であるという点で異なる。
【００３７】
図６は、本発明の一実施例によるデータ記録及び／または再生装置のブロック図である。図６を参照するに、本実施例による装置は、記録／読出部１、制御部２及びメモリ３を含む。追記型ディスク１００は、図１Ａに図示した単一記録層の追記型ディスクまたは図１Ｂに示した二重記録層の追記型ディスクである。
【００３８】
記録／読出部１は、制御部２の制御によって追記型ディスク１００にデータを記録及び／または再生する。追記型ディスク１００に記録されるデータはユーザデータのみだけでなく、前述した臨時欠陥管理情報及び臨時ディスク管理情報などを含む。また、臨時ディスク管理情報は、追記型ディスク１００のデータ領域にスペア領域の割当如何を示す情報、データ領域に割当てられたスペア領域の位置及び大きさに関する情報、データ領域に割当てられたスペア領域がサブスペア領域及びＴＤＭＡ領域に分割された場合には、そのサブスペア領域及びそのＴＤＭＡ領域の位置及び大きさに関する情報を含む。
【００３９】
制御部２は、本実施例によるデータ記録及び／または再生装置の全体動作を制御する。特に、制御部２は、追記型ディスク１００のデータ領域にスペア領域を割当てるか、またはそのスペア領域をサブスペア領域及びＴＤＭＡ領域に分割し、前記領域割当に関する情報を追記型ディスク１００に記録する。
【００４０】
メモリ３は、追記型ディスク１００から読み出されたデータまたは追記型ディスク１００に記録する各種データを一時保存する。
【００４１】
以下、図６に示したデータ記録及び／または再生装置により行われる、本発明の一実施例による追記型ディスクの使用方法について説明する。
【００４２】
図７は、本発明による単一記録層の追記型ディスクの使用方法のフローチャートの一例を示す。図４Ａ及び図４Ｂに示された追記型ディスクを例として追記型ディスクの使用方法を詳細に説明する。
【００４３】
制御部２は、ユーザからの命令または予めプログラムされたところによって、単一記録層の追記型ディスクの記録層に含まれたデータ領域の所定位置から最後の位置までの領域をスペア領域に割り当てる（第１１ステップ）。図４Ａに示された実施例による追記型ディスクの場合、データ領域の両端に各々スペア領域１及びスペア領域２が割当てられた。しかし、本発明による主な関心領域は、データ領域の外周側に割当てられたスペア領域２である。スペア領域の割当は、ユーザデータを記録する前である追記型ディスク１００の初期化時点に行われる。
【００４４】
データ領域にスペア領域を割当てた場合、制御部２は、記録／読出部１を制御してデータ領域にスペア領域が割当てられたということを示す情報、データ領域に割当てられたスペア領域の位置及び大きさに関する情報などを追記型ディスク１００の所定領域、例えば、ＴＤＭＡ領域に記録する。
【００４５】
制御部２は、ユーザからの命令またはあらかじめプログラムされたことによって、内周から外周側にスペア領域２をサブスペア領域２及び臨時ディスク管理領域２（ＴＤＭＡ２）に分割する（第１３ステップ）。ユーザデータがデータ領域に内周から外周側に記録される場合、ユーザデータ領域の外周側境界とサブスペア領域とが接するように配置することが、サブスペア領域の拡張または減少に容易であるために内周から外周側にスペア領域２をサブスペア領域２及び臨時ディスク管理領域２に分割する。第１３ステップで臨時ディスク管理領域２の大きさは、前記スペア領域の大きさの１／Ｎ（Ｎは実数）以上とすることが望ましい。また臨時ディスク管理領域２の大きさは、スペア領域２のために割当て可能な最大サイズの１／Ｎ以下であることが望ましい。本実施例でＮは４である。
【００４６】
追記型ディスク１００の初期化時に、前記第１１及び１３ステップが行われる。追記型ディスク１００の初期化後、ユーザデータが追記型ディスクに記録されることによって追記型ディスクに備えられた少なくとも１つのスペア領域及び少なくとも１つのＴＤＭＡ領域に各々データが記録される。
【００４７】
追記型ディスク１００の使用中、追記型ディスク１００に割当てられたスペア領域１及び２がほとんどなくなってスペア領域の拡張が必要な場合、ユーザからの命令またはあらかじめプログラムされたところによって、制御部２は第１３ステップで割当てられたサブスペア領域２を臨時ディスク管理領域２の大きさのＮ倍以下の大きさまで内周側に拡張するか、ユーザデータ領域がなくなってユーザデータ領域の拡張が必要ならば、サブスペア領域２の大きさを減少させる（第１５ステップ）。サブスペア領域２の大きさが再調整された場合、制御部２は記録／読出部１を制御して再調整されたサブスペア領域２の位置及び／または大きさに関する情報を追記型ディスク１００の所定領域、例えばＴＤＭＡ領域に記録する。
【００４８】
以上、図４Ａ及び図４Ｂに示された単一記録層の追記型ディスクの場合を例として、本発明の一実施例による追記型ディスクの使用方法及びその装置について説明したが、二重記録層の追記型ディスクにも同一に適用しうる。図５Ａ及び図５Ｂに示したように、二番目の記録層であるＬ１に備えられたスペア領域４をＴＤＭＡ領域２及びサブスペア領域４に分割した後、前述した単一記録層の追記型ディスクの場合と同様に必要によってサブスペア領域４を拡張または縮少しうる。
【００４９】
以上、本発明についてその望ましい実施例を中心に説明した。本発明が属する技術分野で当業者ならば、本発明が本発明の本質的な特性から外れない範囲で変形された形に具現されうるということを理解できるであろう。本発明の範囲は、前述した説明でなく特許請求の範囲に現れており、それと同等な範囲内にあるあらゆる差異点は本発明に含まれたと解釈されねばならない。
【図面の簡単な説明】
【００５０】
【図１Ａ】本発明の一実施例による追記型ディスクの構造を示す図である。
【図１Ｂ】本発明の一実施例による追記型ディスクの構造を示す図である。
【図２】単一記録層の追記型ディスクの記録層または二重記録層の追記型ディスクの最初の記録層の構造を示す図である。
【図３Ａ】本発明の一実施例によってデータ領域にスペア領域及びＴＤＭＡ領域が割当てられた追記型ディスクの記録層の構造を示す図である。
【図３Ｂ】本発明の一実施例によってデータ領域にスペア領域及びＴＤＭＡ領域が割当てられた追記型ディスクの記録層の構造を示す図である。
【図４Ａ】図３Ａ及び図３Ｂに示されたスペア領域２及びＴＤＭＡ領域２のサイズの一例を示す図である。
【図４Ｂ】図３Ａ及び図３Ｂに示されたスペア領域２及びＴＤＭＡ領域２のサイズの一例を示す図である。
【図５Ａ】本発明の一実施例によって二重記録層の追記型ディスクの二番目の記録層Ｌ１のデータ領域にスペア領域及びＴＤＭＡ領域を割当てた例を示す図である。
【図５Ｂ】本発明の一実施例によって二重記録層の追記型ディスクの二番目の記録層Ｌ１のデータ領域にスペア領域及びＴＤＭＡ領域を割当てた例を示す図である。
【図６】本発明の一実施例によるデータ記録及び／または再生装置のブロック図である。
【図７】本発明の一実施例による単一記録層の追記型ディスクの使用方法を示すフローチャートである。
【図１Ａ】
2007507827.tif 000003
【図１Ｂ】
2007507827.tif 000004
【図２】
2007507827.tif 000005
【図３Ａ】
2007507827.tif 000006
【図３Ｂ】
2007507827.tif 000007
【図４Ａ】
2007507827.tif 000008
【図４Ｂ】
2007507827.tif 000009
【図５Ａ】
2007507827.tif 000010
【図５Ｂ】
2007507827.tif 000011
【図６】
2007507827.tif 000012
【図７】
2007507827.tif 000013
【国際調査報告】
2007507827.tif 000014
2007507827.tif 000015